(57)【特許請求の範囲】
【請求項１】
ベース部および立ち上がり部を有するプレキャスト鉄筋コンクリート製の基礎ブロックを長手方向に並べて接合する布基礎の施工方法であって、
各基礎ブロックは、立ち上がり部の上下方向の複数箇所に主筋となる鉄筋が埋め込まれ、互いに接合される一対の基礎ブロックのうちの一方の基礎ブロックは立ち上がり部の端面が長手方向に略垂直な平坦面であり、もう一方の基礎ブロックの端部は立ち上がり部の裏面が現場コンクリート打ち用の裏面切欠部とされ、かつ両方の基礎ブロックの鉄筋が上記切欠部内に突出して互いに重なり、これら各鉄筋の先端がＵ字状に湾曲したものであり、
地盤に配置した隣合う基礎ブロックを、対向端部における上記複数本の鉄筋のＵ字状湾曲部分に係合する基礎ブロック引き寄せ治具によって互いに引き寄せ、上記裏面切欠部にコンクリートまたはモルタルを打設する、
プレキャスト鉄筋コンクリート基礎の施工方法。
【請求項２】
請求項１において、互いに接合する基礎ブロックのベース部における対向する端部に、基礎長手方向に沿う垂直断面形状が相欠となる相欠継手突部をそれぞれ設け、両側の相欠継手突部を互いにボルトで接合するプレキャスト鉄筋コンクリート基礎の施工方法。
【請求項３】
請求項１または請求項２において、互いに接合する基礎ブロックの立ち上がり部における対向する端部の裏面にナットを埋め込み、上記裏面切欠部を蓋する現場打ちのコンクリートまたはモルタル用の型枠を、上記埋め込み状態のナットにボルトで取付けるプレキャスト鉄筋コンクリート基礎の施工方法。
【請求項４】
請求項１ないし請求項３のいずれかにおいて、上記基礎ブロック引き寄せ治具が、互いに交差してその交差部で互いに交差角度の変更が自在に連結された一対の交差部材と、各交差部材の両端にそれぞれ設けられて、対向する一方の基礎ブロックの鉄筋のＵ字状湾曲部分および他方の基礎ブロックの鉄筋のＵ字状湾曲部分にそれぞれ係合する鉄筋係合部と、互いに交差した交差部材間に連結されて両端の鉄筋係合部間の間隔が広がるように荷重を付与する荷重付与機構とを備えるものであるプレキャスト鉄筋コンクリート基礎の施工方法。
【請求項５】
請求項４において、上記基礎ブロックの立ち上がり部に埋め込まれる鉄筋は３本以上であり、上記基礎ブロック引き寄せ治具は、上記一対の交差部材が上下に複数組並び、上下に隣合う交差部材組のうちの上側の交差部材組の各交差部材の下側の端部と、これらの端部に対向する、下側の交差部材組の各交差部材の上側の端部とをそれぞれ互いに回動自在に連結し、この連結部の間に上記荷重付与機構を設けたものであるプレキャスト鉄筋コンクリート基礎の施工方法。
【請求項６】
請求項５において、一対のアーム状の交差部材をその交差部で交差角度の変更が自在なように連結する手段が、各交差部材に形成されたピン挿通孔と、これらピン挿通孔間に挿通されたピン部材とでなり、上記ピン挿通孔が長孔であるプレキャスト鉄筋コンクリート基礎の施工方法。
【請求項７】
ベース部および立ち上がり部を有するプレキャスト鉄筋コンクリート製の基礎ブロックを長手方向に並べた布基礎であって、
各基礎ブロックは、立ち上がり部の上下方向の複数箇所に主筋となる鉄筋が埋め込まれ、互いに接合される一対の基礎ブロックのうちの一方の基礎ブロックは立ち上がり部の端面が長手方向に略垂直な平坦面であり、もう一方の基礎ブロックの端部は立ち上がり部の裏面が現場コンクリート打ち用の裏面切欠部とされ、かつ両方の基礎ブロックの鉄筋が上記切欠部内に突出して互いに重なり、その両側の鉄筋の先端がＵ字状に湾曲したものであり、
互いに接合する基礎ブロックのベース部における対向する端部に、基礎長手方向に沿う垂直断面形状が相欠となる相欠継手突部をそれぞれ設け、両側の相欠継手突部を互いにボルトで接合し、
上記裏面切欠部に現場打ちコンクリートまたはモルタルを打設した、
プレキャスト鉄筋コンクリート基礎。
【請求項８】
ベース部および立ち上がり部を有するプレキャスト鉄筋コンクリート製の基礎ブロックを、長手方向に並べた後に互いに引き寄せるための治具であって、
互いに交差してその交差部で互いに交差角度の変更が自在に連結された一対の交差部材を上下に並べて複数組設け、上下に隣合う交差部材組のうちの上側の交差部材組の各交差部材の下側の端部と、これらの端部に対向する、下側の交差部材組の各交差部材の上側の端部とをそれぞれ互いに回動自在に連結し、各交差部材の両端に、対向する一方の基礎ブロックの鉄筋のＵ字状湾曲部分および他方の基礎ブロックの鉄筋のＵ字状湾曲部分にそれぞれ係合する鉄筋係合部をそれぞれ設け、上記上側の交差部材組と下側の交差部材組とを回動自在に連結した両側の連結部の間に、両端の鉄筋係合部間の間隔が広がるように基礎ブロック引き寄せ用の荷重を付与する荷重付与機構を設けたプレキャスト鉄筋コンクリート基礎の基礎ブロック引き寄せ治具。
【発明の詳細な説明】
【０００１】
【発明の属する技術分野】
この発明は、布基礎となるプレキャスト鉄筋コンクリート基礎およびその施工方法に関する。
【０００２】
【従来の技術】
プレキャスト鉄筋コンクリート製の基礎ブロックを長手方向に並べて布基礎とする場合、並べられた基礎ブロック間の間隔を正しく調整する必要がある。この間隔がばらついていると、布基礎上に構築される上部建物の芯に狂いが生じる。基礎ブロックの間隔を調整するには、基礎ブロックを地盤上に吊り降ろした後、基礎ブロックを相互を引き寄せる方法等が採用される。基礎ブロックを互いに引き寄せる連結具または治具としては、両側の基礎ブロックに係合する係合具およびターンバクルにより構成されるものなどが用いられる（例えば特許文献１）。また、基礎ブロックの連結部分において、現場打ちコンクリートが基礎の建物外面側に露出して見栄えが悪くなることを回避するために、基礎ブロックの端部の裏面に凹部を設け、その凹部内に現場打ちコンクリートを充填するものが提案されている（例えば特許文献２）。
【０００３】
【特許文献１】
実開平７−１５８３７号公報
【特許文献２】
特開平８−８１９６０号公報
【０００４】
【発明が解決しようとする課題】
しかし、プレキャストコンクリートの基礎ブロックは重力物であるため、個々の鉄筋に係合させたターンバクル式の治具で引き寄せることは難しい作業であった。また、従来の基礎ブロックの裏面に凹部を設けて現場打ちコンクリートで埋めるものは、連結する両側の基礎ブロックに凹部を設けているため、基礎ブロックの形状が複雑であった。また、布基礎のベース部は現場打ちとするハーフプレキャスト形式であるため、プレキャスト化による施工性の向上効果が十分でなかった。
【０００５】
この発明の目的は、隣合う基礎ブロック間の間隔調整が容易に行えて、施工性に優れ、また接合部の表面を綺麗に仕上げることができるプレキャスト鉄筋コンクリート基礎およびその施工方法を提供することである。
【０００６】
【課題を解決するための手段】
この発明のプレキャスト鉄筋コンクリート基礎の施工方法は、ベース部および立ち上がり部を有するプレキャスト鉄筋コンクリート製の基礎ブロックを長手方向に並べる布基礎の施工方法であって、
各基礎ブロックは、立ち上がり部の上下方向の複数箇所に主筋となる鉄筋が埋め込まれ、互いに接合される一対の基礎ブロックのうちの一方の基礎ブロックはその端面が長手方向に略垂直な平坦面であり、もう一方の基礎ブロックの端部は立ち上がり部の裏面が現場コンクリート打ち用の裏面切欠部とされ、かつ両方の基礎ブロックの鉄筋が上記切欠部内に突出して互いに重なり、その両側の鉄筋の先端がＵ字状に湾曲したものであり、
地盤に配置した隣合う基礎ブロックを、対向端部における上下に並ぶ上記複数本の鉄筋の各Ｕ字状湾曲部分に係合する基礎ブロック引き寄せ治具により互いに引き寄せ、上記裏面切欠部にコンクリートまたはモルタルを打設する。
この方法によれば、長手方向に並べた一対の基礎ブロックを、これらの鉄筋の上下方向に並ぶ複数本の鉄筋に係合する基礎ブロック引き寄せ治具を用いて引き寄せるため、重量物の基礎ブロックを容易に引き寄せて間隔調整することができる。また、基礎ブロックの立ち上がり部の裏面切欠部をコンクリートまたはモルタルで埋めることにより布基礎を施工するので、布基礎の立ち上がり部の表面側は、基礎ブロック間の接合部においても、現場打ち部分が見えず、プレキャスト製の基礎ブロックにおける綺麗な表面となる。そのため、表面仕上げ用のモルタル塗布等の作業が省ける。裏面切欠部は、互いに接合する基礎ブロックの片方のみに設けるため、裏面切欠部を設けながら、基礎ブロックをできるだけ簡素な構成にできる。なお、基礎ブロック引き寄せ治具は、裏面切欠部への現場打ちコンクリート等の打設前に取り外し、再度利用するようにしても、また現場打ちコンクリート内に埋め込むものとしても良い。
【０００７】
この発明のプレキャスト鉄筋コンクリート基礎の施工方法において、互いに接合する基礎ブロックのベース部における対向する端部に、基礎長手方向に沿う垂直断面形状が相欠となる相欠継手突部をそれぞれ設け、両側の相欠継手突部を互いにボルトで接合するものとしても良い。
この構成の場合、両側の基礎ブロックのベース部を、互いに重ねた相欠継手突部でボルトで接合するため、簡単な現場施工でベース部の接合が行える。布基礎において、ベース部は、鉄筋を隣合う基礎ブロック間にわたって接合するほどの強度は要求されないが、地反力を伝達するためには、ある程度の接合強度は必要である。このようなベース部に要求される接合強度に応じた簡易な接合が行える。また、相欠継手突部を重ね合わせるため、両側の基礎ブロックが誤って不陸状態で接合されることも回避できる。
【０００８】
このプレキャスト鉄筋コンクリート基礎の施工方法において、互いに接合する基礎ブロックの立ち上がり部における対向する端部の裏面にナットを埋め込み、上記裏面切欠部を蓋する現場打ちのコンクリートまたはモルタル用の型枠を、上記埋め込み状態のナットにボルトで取付けても良い。
この構成の場合、隣合う基礎ブロックの立ち上がり部の端部の裏面にわたって型枠をボルト接合することにより、基礎ブロックの裏面切欠部を蓋することができ、裏面切欠部へのコンクリートまたはモルタルの現場打ちを容易に行うことができる。また、この現場打ち部分の完全養生を待たずに、次の施工を進めることができ、工期が短縮される。
【０００９】
このプレキャスト鉄筋コンクリート基礎の施工方法において、上記基礎ブロック引き寄せ治具に、次の構成のものを用いることが好ましい。この基礎ブロック引き寄せ治具は、互いに交差してその交差部で互いに交差角度の変更が自在に連結された一対の交差部材と、各交差部材の両端にそれぞれ設けられて、対向する一方の基礎ブロックの鉄筋のＵ字状湾曲部分および他方の基礎ブロックの鉄筋のＵ字状湾曲部分にそれぞれ係合する鉄筋係合部と、互いに交差した交差部材間に連結されて両端の鉄筋係合部間の間隔が広がるように基礎ブロック引き寄せ用の荷重を付与する荷重付与機構とを備えるものである。
この基礎ブロック引き寄せ治具を用いると、交差する一対の交差部材が連動しするため、一つの荷重付与機構の荷重付与により、複数の鉄筋に同時に荷重が付与され、基礎ブロックを引き寄せることができる。そのため、より施工性が向上する。
【００１０】
この発明のプレキャスト鉄筋コンクリート基礎の施工方法において、上記基礎ブロックの立ち上がり部に埋め込まれる鉄筋は３本以上であり、上記基礎ブロック引き寄せ治具は、上記一対の交差部材が上下に複数組並び、上下に隣合う交差部材組のうちの上側の交差部材組の各交差部材の下側の端部と、これらの端部に対向する、下側の交差部材組の各交差部材の上側の端部とをそれぞれ互いに回動自在に連結し、この連結部の間に上記荷重付与機構を設けたものであっても良い。
この基礎ブロック引き寄せ治具を用いた場合、上下に並ぶ３本以上の各鉄筋に同時に荷重を付与でき、基礎ブロックの引き寄せがより一層容易になる。
【００１１】
このプレキャスト鉄筋コンクリート基礎の施工方法において、一対の交差部材をその交差部で交差角度の変更が自在なように連結する手段が、各交差部材に形成されたピン挿通孔と、これらピン挿通孔間に挿通されたピン部材とでなり、上記ピン挿通孔が長孔であっても良い。
このようにピン挿通孔を長孔とすると、複数本並ぶ鉄筋の間で、その端部のＵ字状湾曲部分の位置に互いに若干のずれがあっても、上記長孔でそのずれを吸収し、基礎ブロック引き寄せ治具により各鉄筋に均等に荷重を付与することができる。
【００１２】
この発明のプレキャスト鉄筋コンクリート基礎は、ベース部および立ち上がり部を有するプレキャスト鉄筋コンクリート製の基礎ブロックを長手方向に並べた布基礎であって、
各基礎ブロックは、立ち上がり部の上下方向の複数箇所に主筋となる鉄筋が埋め込まれ、互いに接合される一対の基礎ブロックのうちの一方の基礎ブロックはその端面が長手方向に略垂直な平坦面であり、もう一方の基礎ブロックの端部は立ち上がり部の裏面が現場コンクリート打ち用の裏面切欠部とされ、かつ両方の基礎ブロックの鉄筋が上記切欠部内に突出して互いに重なり、その両側の鉄筋の先端がＵ字状に湾曲したものであり、
互いに接合する基礎ブロックのベース部における対向する端部に、基礎長手方向に沿う垂直断面形状が相欠となる相欠継手突部をそれぞれ設け、両側の相欠継手突部を互いにボルトで接合する。
この構成によれば、隣合う基礎ブロック間の間隔調整が容易に行えて、施工性が良く、芯だし精度の優れた基礎となり、また接合部の表側の側面がプレキャスト部分の面となって、仕上げ用のモルタル塗り等を施さなくても、綺麗に仕上げることができる。また、両側の基礎ブロックのベース部を、互いに重ねた相欠継手突部でボルトで接合するため、簡単な現場施工でベース部の接合が行え、ベース部に必要な強度が確保できる。
【００１３】
この発明のプレキャスト鉄筋コンクリート基礎の基礎ブロック引き寄せ治具は、ベース部および立ち上がり部を有するプレキャスト鉄筋コンクリート製の基礎ブロックを、長手方向に並べた後に互いに引き寄せるための治具であって、次の構成を備える。
すなわち、この基礎ブロック引き寄せ治具は、互いに交差してその交差部で互いに交差角度の変更が自在の連結された一対のアーム状の交差部材を上下に並べて複数組設け、上下に並ぶ交差部材組のうちの上側の交差部材組の各交差部材の下側の端部と、これらの端部に対向する、下側の交差部材組の各交差部材の上側の端部とをそれぞれ互いに回動自在に連結し、各交差部材の両端に、対向する一方の基礎ブロックの鉄筋のＵ字状湾曲部分および他方の基礎ブロックの鉄筋のＵ字状湾曲部分にそれぞれ係合する鉄筋係合部をそれぞれ設け、上記上側の交差部材組と下側の交差部材組とを回動自在に連結した両側の連結部の間に、両端の鉄筋係合部間の間隔が広がるように基礎ブロック引き寄せ用の荷重を付与する荷重付与機構を設けたものである。荷重付与機構は、油圧シリンダ等の駆動式のものであっても、手動操作で荷重を付与するものであっても良い。
この構成の治具によれば、各交差部材が連動するため、一つの荷重付与機構の荷重付与により、３本以上の各鉄筋に同時に均等に荷重が付与される。そのため、基礎ブロックの引き寄せが簡単に行え、施工性が向上する。
【００１４】
【発明の実施の形態】
この発明の一実施形態を図面と共に説明する。図１はこの実施形態のプレキャスト鉄筋コンクリート基礎の施工途中の状態を示す外観斜視図、図１２はその基礎ブロックの部分斜視図である。このプレキャスト鉄筋コンクリート基礎は、ベース部２および立ち上がり部３を有するプレキャスト鉄筋コンクリート製の基礎ブロック１を、長手方向に並べて布基礎を構築したものである。基礎ブロック１の全体の平面形状は、図示を省略するが、例えば直線型、Ｌ字型、およびＴ字型のものが準備され、これら各種の形状の基礎ブロック１を任意に組み合わせて各種平面形状の布基礎が構成される。
各基礎ブロック１は、図３に断面図で示すように、立ち上がり部３の上下方向の複数箇所（ここでは３箇所）に主筋となる鉄筋４が埋め込まれたものである。図４に平面図で示すように、互いに接合される一対の基礎ブロック１，１のうちの一方の基礎ブロック１は、その立ち上がり部３の端面が長手方向に略垂直な平坦面とされている。もう一方の基礎ブロック１は、その立ち上がり部３の裏面が図１のように現場コンクリート打ち用の裏面切欠部３ａとされている。また、両方の基礎ブロック１の鉄筋４は、図２に一部を破断した正面図で示すように上記裏面切欠部３ａ内に突出して互いに重なり、その両側の鉄筋４の先端がＵ字状に湾曲したものとされている。
【００１５】
地盤５（図３）に配置した隣合う上記一対の基礎ブロック１，１は、図１のように、基礎ブロック引き寄せ治具６により互いに引き寄せ、図４のように上記裏面切欠部３ａに現場打ちのコンクリートまたはモルタル（ハッチング部分）を打設する。基礎ブロック引き寄せ治具６は、両基礎ブロック１の対向端部における上記複数本の鉄筋４の各Ｕ字状湾曲部分４ａに係合するものである。
【００１６】
上記一対の基礎ブロック１，１の各ベース部２における対向する端部には、図１，図１２のように、基礎長手方向に沿う垂直断面形状が相欠となる相欠継手突部２ａ，２ｂがそれぞれ設けられている。これら両側の相欠継手突部２ａ，２ｂを、図２のように互いにボルト７で接合することで、両基礎ブロック１のベース部２が接合される。図５に拡大して示すように、上記両相欠継手突部２ａ，２ｂのうち、下側の相欠継手突部２ｂにはコンクリート内に埋め込んだ埋込みナット８が設けられ、上側の相欠継手突部２ａにはコンクリート内に埋め込んだボルト挿通用のパイプ９が設けられている。上記パイプ９に挿通させたボルト７を上記埋込みナット８に螺合させることで、上記両側の相欠継手突部２ａ，２ｂが互いに接続される。埋込みナット８には、この埋込みナット８の外周に広がってコンクリート内に埋め込まれた浮き上がり防止用の定着部材１０が設けられている。この場合の定着部材１０は、埋込みナット８に下側からねじ込んだボルト１１の頭部と、埋込みナット８とで挟み付けて保持される。上記パイプ９には、このパイプ９の中胴部において、パイプ９と交差する横方向に延びてコンクリート内に埋め込まれた定着部材１２が設けられている。
【００１７】
上記一対の基礎ブロック１，１の立ち上がり部３における対向する端部の裏面には、図４のようにナット１３が埋め込まれており、上記裏面切欠部３ａを蓋する現場打ちのコンクリートまたはモルタル用の型枠１４が、上記埋め込み状態のナット１３にボルト１５で取付けられる。
【００１８】
各基礎ブロック１の立ち上がり部３の上面には、図６に拡大して示すように、吊り用のナット１６がコンクリート内に埋め込んで設けられている。吊り用のナット１６は、アイボルト等からなる吊り金具１７を着脱自在に連結する部材であり、長ナット等からなる。吊り用ナット１６には、この吊り用ナット１６に螺合してコンクリート内部側へ延びる浮き止め用ボルト１８と、この浮き止め用ボルト１８に接合されてコンクリート内に埋め込まれた定着部材１９とが設けられている。この吊り用ナット１６を利用して、吊り金具１７を基礎ブロック１に連結することにより、クレーン（図示せず）等で玉掛けして基礎ブロック１を容易に吊り上げることができる。そのため、隣合う基礎ブロック１，１を互いに接続する作業を容易に行うことができる。また、作業後は吊り金具１７を基礎ブロック１から簡単に取り外すことができる。
【００１９】
なお、図３のように、各基礎ブロック１の立ち上がり部３には、その上面に突出するアンカーボルト３０と、主筋となる鉄筋４にバインド線（図示せず）で取付けられた縦長の鉄筋３１とが長さ方向の複数箇所に埋め込まれている。さらに、ベース部２にも、長さ方向の複数箇所に、幅方向に水平に延びる鉄筋３２が埋め込まれ、これらの鉄筋３２は、基礎長さ方向に延びる複数本の鉄筋３３にバインド線（図示せず）で取付けられて間隔保持されている。
【００２０】
上記基礎ブロック引き寄せ治具６は、図７に示すように、互いに交差してその交差部で互いに交差角度の変更が自在に連結された一対のアーム状の交差部材２１，２２と、各交差部材２１，２２の両端にそれぞれ設けられて、対向する一方の基礎ブロック１の鉄筋４のＵ字状湾曲部分４ａおよび他方の基礎ブロック１の鉄筋４のＵ字状湾曲部分４ａにそれぞれ係合する鉄筋係合部２３Ａ，２３Ｂと、互いに交差した交差部材２１，２２間に連結されて両端の鉄筋係合部２３Ａ，２３Ｂ間の間隔が広がるように基礎ブロック引き寄せ用の荷重を付与する荷重付与機構２４とを備える。図８および図９に正面図および側面図で示すように、上記一対の交差部材２１，２２は上下に２組並び、上側の交差部材組の各交差部材２１，２２の下側の端部と、これらの端部に対向する、下側の交差部材組の各交差部材２１，２２の上側の端部とをそれぞれ互いに回動自在に連結し、この連結部の間に上記荷重付与機構２４を設けている。一対のアーム状の上記交差部材２１，２２をその交差部で交差角度の変更が自在なように連結する手段は、図１０のように各交差部材２１，２２に形成されたピン挿通孔２５と、これらピン挿通孔２５間に挿通されたピン部材２６（図８）とでなり、上記ピン挿通孔２５は長孔である。ここでは、上記ピン部材２６がボルトからなり、上記荷重付与機構２４が油圧シリンダからなる。また、鉄筋係合部２３Ａ，２３Ｂは、外周面が鉄筋係合用の円周溝とされたリング状の部材からなり、交差部材２１，２２にボルトにより取付けられている。
【００２１】
次に上記構成のプレキャスト鉄筋コンクリート基礎の施工方法について説明する。
根切り（布堀り）工事および地業工事の後、各基礎ブロック１を基礎長さ方向に並べて、図１のように、各基礎ブロック１の立ち上がり部３から長手方向に延びる各鉄筋４の先端のＵ字状湾曲部分４ａに、基礎ブロック引き寄せ治具６の鉄筋係合部２３Ａ，２３Ｂをそれぞれ係合させる。この係合状態のもとで、荷重付与機構２４を作動させて、両側の鉄筋係合分２３Ａ，２３Ｂ間の間隔が広がるように荷重を付与する。これにより、図１１（Ａ），（Ｂ）に平面図および正面図で示すように隣合う基礎ブロック１，１を基礎長手方向の適正位置に水平移動させる。また、この作業時に、基礎ブロック１の上面に設けられた吊り用ナット１６に図７のように吊り金具１７を螺合させることで、クレーン等による基礎ブロック１の吊り上げが行え、一方の基礎ブロック１の相欠継手突部２ｂの上に他方の基礎ブロック１の相欠継手突部２ａを容易に重ねることができる。隣合う基礎ブロック１，１をこのように位置決めした後、図２のように相欠継手突部２ａのパイプ９に挿通させたボルト７を相欠継手２ｂの埋込みナット８に螺合させることにより、両基礎ブロック１のベース部２を互いに接続する。
【００２２】
次に、基礎ブロック引き寄せ治具６を、基礎ブロック１の裏面切欠部３ａから取り外し、立ち上がり部３のナット１３に螺合させるボルト１５により、図４のように両基礎ブロック１の立ち上がり部３の裏面にまたがって型枠１４を取付け、立ち上がり部３の裏面切欠部３ａにコンクリートまたはモルタルを埋め込み状態に打設する。コンクリートまたはモルタルの養生期間が過ぎると、上記型枠１４は取り外す。
【００２３】
このように、このプレキャスト鉄筋コンクリート基礎の施工方法では、長手方向に並べた一対の基礎ブロック１，１を、その複数の鉄筋４に基礎ブロック引き寄せ治具６を係合させることにより互いに引き寄せるため、重量物の基礎ブロック１を容易に引き寄せて間隔調整することができる。基礎ブロック１の立ち上がり部３の裏面切欠部３ａはコンクリートまたはモルタルで埋めるため、互いに接合する基礎ブロック１，１の鉄筋を埋め込んで堅固な接合状態の布基礎とすることができる。また、基礎ブロック１の立ち上がり部３の裏面切欠部３ａをコンクリートまたはモルタルで埋めることにより布基礎を施工するので、布基礎の立ち上がり部３の表面側は、基礎ブロック１，１間の接合部においても、現場打ち部分が見えず、プレキャスト製の基礎ブロック１における綺麗な表面となる。そのため、表面仕上げ用のモルタル塗布等の作業が省ける。裏面切欠部３ａは、互いに接合する基礎ブロック１の片方のみに設けるため、裏面切欠部３ａを設けながら、基礎ブロック１をできるだけ簡素な構成にできる。
【００２４】
また、互いに接合する基礎ブロック１，１のベース部２における対向する端部に、基礎長手方向に沿う垂直断面形状が相欠となる相欠継手突部２ａ，２ｂを設け、両側の相欠継手突部２ａ，２ｂを互いにボルト７で接合するものとしているので、一方の基礎ブロック１のベース部２の相欠継手突部２ａと、他方の基礎ブロック１のベース部２の相欠継手突部２ｂとを互いに重ね合わせてボルト７で接合することにより、隣合う基礎ブロック１，１のベース部２，２を確実かつ強固に接合できる。
【００２５】
さらに、互いに接合する基礎ブロック１，１の立ち上がり部３，３における対向する端部の裏面にナット１３を埋め込み、上記裏面切欠部３ａを蓋する型枠１４をボルト１５で取付けるものとしているので、基礎ブロック１の立ち上がり部３の裏面切欠部３ａを型枠１４で蓋して裏面切欠部３ａへのコンクリートまたはモルタルの現場打ちを容易に行うことができる。
【００２６】
また、上記構成の基礎ブロック引き寄せ治具６は、互いに交差して連結された一対のアーム状の交差部材２１，２２の組を上下に並べて２組設け、互いに連結したものであるため、一つの荷重付与機構２４の荷重付与により、各交差部材２１，２２が連動して動作し、上下方向に並ぶ３本の鉄筋４に同時に均等に荷重が付与される。そのため、基礎ブロック１の引き寄せが簡単に行え、施工性が向上する。
【００２７】
なお、基礎ブロック引き寄せ治具６は、上記実施形態では交差部材２１，２２の組を上下に並べて２組設けたものとしたが、交差部材２１，２２の組を上下に並べて３組以上設けても良い。３組の場合は４本の鉄筋を、４組の場合は５本の鉄筋をそれぞれ同時に引き寄せることができる。
【００２８】
【発明の効果】
この発明のプレキャスト鉄筋コンクリート基礎の施工方法は、ベース部および立ち上がり部を有するプレキャスト鉄筋コンクリート製の基礎ブロックを長手方向に並べる布基礎の施工方法であって、各基礎ブロックは、立ち上がり部の上下方向の複数箇所に主筋となる鉄筋が埋め込まれ、互いに接合される一対の基礎ブロックのうちの一方の基礎ブロックはその立ち上がり部の端面が長手方向に略垂直な平坦面であり、もう一方の基礎ブロックの端部は立ち上がり部の裏面が現場コンクリート打ち用の裏面切欠部とされ、かつ両方の基礎ブロックの鉄筋が上記切欠部内に突出して互いに重なり、その両側の鉄筋の先端がＵ字状に湾曲したものであり、地盤に配置した隣合う基礎ブロックを、対向端部における上下に並ぶ上記複数本の鉄筋の各Ｕ字状湾曲部分に係合する基礎ブロック引き寄せ治具により互いに引き寄せ、上記裏面切欠部にコンクリートまたはモルタルを打設する方法であるため、隣合う基礎ブロック間の間隔調整が容易に行えて、施工性に優れ、また接合部の表面を綺麗に仕上げることができる。
この発明のプレキャスト鉄筋コンクリート基礎は、上記施工方法の採用が行えて、隣合う基礎ブロック間の間隔調整が容易に行え、芯出し精度、施工性に優れ、また接合部の表面を綺麗に仕上げることができる。また、両側の基礎ブロックのベース部を、互いに重ねた相欠継手突部でボルトで接合するため、簡単な現場施工でベース部の接合が行え、ベース部に必要な強度が確保できる。
この発明の基礎ブロック引き寄せ治具は、複数の鉄筋に同時に荷重を作用させることができて、隣合う基礎ブロックを互いに基礎長手方向の適正位置に容易に引き寄せることができ、施工をより容易に行うことができる。
【図面の簡単な説明】
【図１】この発明の一実施形態にかかるプレキャスト鉄筋コンクリート基礎の施工途中の状態を示す外観斜視図である。
【図２】同プレキャスト鉄筋コンクリート基礎の一部を破断して示す正面図である。
【図３】同プレキャスト鉄筋コンクリート基礎を構成する基礎ブロックの縦断面図である。
【図４】同プレキャスト鉄筋コンクリート基礎の一部を破断して示す平面図である。
【図５】同プレキャスト鉄筋コンクリート基礎における相欠継手突部の接続部を拡大して示す断面図である。
【図６】同プレキャスト鉄筋コンクリート基礎における吊り用ナット設置部の拡大断面図である。
【図７】同プレキャスト鉄筋コンクリート基礎の施工途中の状態を示す正面図である。
【図８】同プレキャスト鉄筋コンクリート基礎の施工に用いる基礎ブッロク引き寄せ治具の正面図である。
【図９】同基礎ブッロク引き寄せ治具の側面図である。
【図１０】同基礎ブッロク引き寄せ治具の交差部材の正面図である。
【図１１】（Ａ）は同基礎ブッロク引き寄せ治具の使用状態を示す平面図、（Ｂ）はその正面図である。
【図１２】一対の基礎ブロックの対向する端部の斜視図である。
【符号の説明】
１…基礎ブロック
２…ベース部
２ａ，２ｂ…相欠継手突部
３…立ち上がり部
３ａ…裏面切欠部
４…鉄筋
６…基礎ブロック引き寄せ治具
７…ボルト
１３…ナット
１４…型枠
１５…ボルト
２１，２２…交差部材
２３Ａ，２３Ｂ…鉄筋係合部
２４…荷重付与機構
２５…ピン挿通孔
２６…ピン部材
【要約】      （修正有）【課題】隣合う基礎ブロック間の間隔調整が容易に行えて、施工性に優れ、また接合部の表面を綺麗に仕上げることができる。
【解決手段】プレキャスト鉄筋コンクリート製の布基礎の施工方法で、互いに接合される一対の基礎ブロック１，１のうちの一方の基礎ブロック１の立ち上がり部の端面が長手方向に略垂直な平坦面とされ、他方の基礎ブロック１の端部は立ち上がり部３の裏面が現場コンクリート打ち用の裏面切欠部３ａが形成し、両方の基礎ブロック１の鉄筋４は先端がう字状に形成され、上記裏面切欠部３ａ内に突出して互いに重なるように配置し、地盤に配置した隣合う基礎ブロック１，１を、引き寄せ治具６により互いに引き寄せ、上記裏面切欠部３ａをコンクリートまたはモルタルで埋める。
【選択図】図１【図１】
0003596776.tif 000002
【図２】
0003596776.tif 000003
【図３】
0003596776.tif 000004
【図４】
0003596776.tif 000005
【図５】
0003596776.tif 000006
【図６】
0003596776.tif 000007
【図７】
0003596776.tif 000008
【図８】
0003596776.tif 000009
【図９】
0003596776.tif 000010
【図１０】
0003596776.tif 000011
【図１１】
0003596776.tif 000012
【図１２】
0003596776.tif 000013